(57)【要約】【課題】環状燃焼部の一部のみを効率よく燃焼させて、業務用調理独特の使用態様にも対応可能な業務用調理バーナの提供。【解決手段】多数の炎孔８が環状に配設された環状燃焼部４を有する業務用調理バーナ２であって、環状燃焼部４が、周方向に複数の部分燃焼部４ａ、４ｂに分割され、複数の部分燃焼部４ａ、４ｂの一部と環状燃焼部４との燃焼及び燃焼停止を選択的に切替える手動式切替え手段１２が設けられ、部分燃焼部４ａ、４ｂの一部及び環状燃焼部４の燃焼時に、最大燃焼状態から最小燃焼状態までの範囲内で火力調整可能な手動式火力調整手段１３が設けられている。【選択図】図３
2016194385.tif 000002
【特許請求の範囲】
【請求項１】
多数の炎孔が環状に配設された環状燃焼部を有する業務用調理バーナであって、
前記環状燃焼部が、周方向に複数の部分燃焼部に分割され、
当該複数の部分燃焼部の一部と前記環状燃焼部との燃焼及び燃焼停止を選択的に切替える手動式切替え手段が設けられ、
前記部分燃焼部の一部及び前記環状燃焼部の燃焼時に、最大燃焼状態から最小燃焼状態までの範囲内で火力調整可能な手動式火力調整手段が設けられている業務用調理バーナ。
【請求項２】
前記環状燃焼部が、周方向に２つの部分燃焼部に分割され、
前記手動式切替え手段が、前記２つの部分燃焼部のそれぞれと前記環状燃焼部との燃焼及び燃焼停止を選択的に切替える単一の手動式切替え手段により構成され、
前記手動式火力調整手段が、前記２つの部分燃焼部のそれぞれ及び前記環状燃焼部の燃焼時において火力調整可能な単一の手動式火力調整手段により構成されている請求項１に記載の業務用調理バーナ。
【請求項３】
前記２つの部分燃焼部が、調理バーナの前後方向に配置されている請求項２に記載の業務用調理バーナ。
【請求項４】
前記２つの部分燃焼部が、調理バーナの左右方向に配置されている請求項２に記載の業務用調理バーナ。
【請求項５】
前記環状燃焼部の外周部に載置可能な周方向に連続した台部材と、当該台部材から中心に向かって延出する３本以上の被加熱物載置用の爪部材とを備えた五徳が設けられている請求項１〜４のいずれか１項に記載の業務用調理バーナ。
【発明の詳細な説明】
【技術分野】
【０００１】
本発明は、多数の炎孔が環状に配設された環状燃焼部を有する業務用調理バーナに関する。
【背景技術】
【０００２】
業務用調理バーナは、通常、家庭用に比べて高火力を必要とするため、前記環状燃焼部が、円環状のバーナ本体を二重に配置した構成、つまり、大径の外側バーナ本体と小径の内側バーナ本体から構成されたものが多い。
このような構成の業務用調理バーナにおいて、例えば、弱火での調理を便利にするため、外側バーナ本体による燃焼を停止し、内側バーナ本体のみによる燃焼を可能にしたものが知られている（例えば、特許文献１参照）。
【先行技術文献】
【特許文献】
【０００３】
【特許文献１】登録実用新案第３０５８９１３号公報
【発明の概要】
【発明が解決しようとする課題】
【０００４】
しかしながら、上記特許文献に記載の調理バーナでは、外側バーナ本体の燃焼を停止し、内側バーナ本体のみを燃焼させる場合、内側バーナ本体の火力調整が不可能であるばかりか、環状燃焼部の一部を使用して調理する場合、内側バーナ本体のみを燃焼させて使用するしか方法がなく、業務用として必ずしも満足できるものではなかった。
すなわち、業務用の調理では、例えば、フライパンを使用してオムレツを調理する場合、オムレツの卵返しのために環状燃焼部の後方側（奥側）のみを使用して調理したり、あるいは、フライパンを使用してオリーブオイルでガーリックを炒める場合、環状燃焼部の前方側（手前側）のみを使用して、少量のオリーブオイルによりガーリックを炒めるなど、業務用調理独特の使用態様などがあり、このような使用に必ずしも対応できるものではなく、この点に改良の余地があった。
【０００５】
本発明は、このような従来の問題点に着目したもので、その目的は、環状燃焼部の一部のみを効率よく燃焼させて、業務用調理独特の使用態様にも対応可能な業務用調理バーナを提供することにある。
【課題を解決するための手段】
【０００６】
上記目的を達成するための本発明による業務用調理バーナは、多数の炎孔が環状に配設された環状燃焼部を有する業務用調理バーナであって、
その特徴構成は、前記環状燃焼部が、周方向に複数の部分燃焼部に分割され、当該複数の部分燃焼部の一部と前記環状燃焼部との燃焼及び燃焼停止を選択的に切替える手動式切替え手段が設けられ、かつ、前記部分燃焼部の一部及び前記環状燃焼部の燃焼時に、最大燃焼状態から最小燃焼状態までの範囲内で火力調整可能な手動式火力調整手段が設けられている点にある。
【０００７】
上記特徴構成によれば、周方向に複数に分割された部分燃焼部の一部と環状燃焼部との燃焼及び燃焼停止を選択的に切替える手動式切替え手段が設けられているので、当該手動式切替え手段によって、複数の部分燃焼部の一部、言い換えると、環状燃焼部の一部を使用して調理することも、また、環状燃焼部全体を使用して調理することもできる。
そして、環状燃焼部の一部を燃焼させる際にも、また、環状燃焼部の全体を燃焼させる際にも、最大燃焼状態から最小燃焼状態までの範囲内で火力調整可能な手動式火力調整手段が設けられているので、特に、環状燃焼部の一部のみを燃焼させる際に調理に最適な火力に調整して効率よく調理することができ、業務用調理独特の様々な使用態様にも対応可能で、業務用として利便性の高い調理バーナを提供することができる。
【０００８】
本発明による業務用調理バーナの更なる特徴構成は、前記環状燃焼部が、周方向に２つの部分燃焼部に分割され、前記手動式切替え手段が、前記２つの部分燃焼部のそれぞれと前記環状燃焼部との燃焼及び燃焼停止を選択的に切替える単一の手動式切替え手段により構成され、かつ、前記手動式火力調整手段が、前記２つの部分燃焼部のそれぞれ及び前記環状燃焼部の燃焼時において火力調整可能な単一の手動式火力調整手段により構成されている点にある。
【０００９】
上記特徴構成によれば、周方向に２つに分割された部分燃焼部のそれぞれと環状燃焼部との燃焼及び燃焼停止を選択的に切替える単一の手動式切替え手段が設けられているので、２つの部分燃焼部のいずれか一方を使用する場合も、また、環状燃焼部全体を使用する場合も、同じ単一の手動式切替え手段によって切替え操作することができ、実際の使用に際して利便性が高いばかりか、誤操作の発生を防止することができる。
そして、環状燃焼部の一部を燃焼させる際にも、また、環状燃焼部の全体を燃焼させる際にも、同じ単一の手動式火力調整手段によって最大燃焼状態から最小燃焼状態までの火力調整が可能となり、業務用としてより一層利便性の高い調理バーナを提供することができる。
【００１０】
本発明による業務用調理バーナの更なる特徴構成は、前記２つの部分燃焼部が、調理バーナの前後方向に配置されている点にある。
【００１１】
上記特徴構成によれば、例えば、前後に配置されたいずれか一方の部分燃焼部を使用して小鍋に入れたスープを温めたり、更には、後方の部分燃焼部を使用してオムレツを調理したり、前方の部分燃焼部を使用してガーリックを炒めるなど、業務用調理独特の使用態様に対応することができる。
すなわち、図面を参照してより具体的に説明すると、図７に示すように、フライパン２３を使用してオムレツＡを調理する場合、オムレツの卵返しのために後方の部分燃焼部のみを使用して効率よく調理したり、図８に示すように、フライパン２３を使用してオリーブオイルＢでガーリックＣを炒める場合、前方の部分燃焼部のみを使用して、少量のオリーブオイルＢによりガーリックＣを効率よく炒めることができ、業務用調理独特の使用態様にも対応可能となる。
【００１２】
本発明による業務用調理バーナの更なる特徴構成は、前記２つの部分燃焼部が、調理バーナの左右方向に配置されている点にある。
【００１３】
上記特徴構成によれば、左右に配置されたいずれか一方の部分燃焼部を使用して、小鍋に入れたスープを温めたり、オムレツを調理したり、ガーリックを炒めたりすることができる。
【００１４】
本発明による業務用調理バーナの更なる特徴構成は、前記環状燃焼部の外周部に載置可能な周方向に連続した台部材と、当該台部材から中心に向かって延出する３本以上の被加熱物載置用の爪部材とを備えた五徳が設けられている点にある。
【００１５】
上記特徴構成によれば、五徳の爪部材上にフライパンの一部を載置して、上述したオムレツやガーリックの炒め調理を安定よく確実に行うことができる。
【図面の簡単な説明】
【００１６】
【図１】業務用レンジの要部の正面図
【図２】業務用レンジの平面図
【図３】業務用調理バーナと切替えコックの一部切欠き断面図
【図４】切替えコックの分解斜視図
【図５】切替えコックの作用を示す説明図
【図６】五徳の斜視図
【図７】業務用調理バーナの使用態様を示す説明図
【図８】業務用調理バーナの使用態様を示す説明図
【発明を実施するための形態】
【００１７】
本発明による業務用調理バーナの実施形態を図面に基づいて説明する。
本発明の業務用調理バーナは、図１及び図２に示すように、例えば、都市ガスを燃料とする業務用レンジ１などに設置されるもので、この業務用レンジ１の場合、レンジ１の手前に位置する２つの調理バーナ２と、レンジ１の奥に位置するひとつの調理バーナ３とを備えている。
手前に位置する調理バーナ２は、後に詳しく説明するように、円環状のバーナ本体を二重に配置して構成された高火力用の環状燃焼部４を有する高火力用の調理バーナであり、奥に位置する調理バーナ３は、円環状のバーナ本体を一重に配置して構成された低火力用の環状燃焼部５を有する低火力用の調理バーナであって、この実施形態では、手前に位置する高火力用の調理バーナ２を本発明の対象とする。
【００１８】
本発明による高火力用の調理バーナ２は、図３に詳しく示すように、上述した環状燃焼部４が、二重に配置した円環状の内側バーナ本体６と外側バーナ本体７により構成され、各バーナ本体６、７には、火炎生成用の多数の炎孔８が設けられ、内側バーナ本体６と外側バーナ本体７により構成される環状燃焼部４が、周方向に２つに分割されている。
すなわち、環状燃焼部４が、ほぼ半円形の２つの部分燃焼部４ａ、４ｂに分割され、各部分燃焼部４ａ、４ｂを構成する半割り状の内側バーナ本体６と外側バーナ本体７が、その一端部において、それぞれ連通部９ａ、９ｂを介して連通接続され、各外側バーナ本体７の他端側には、各部分燃焼部４ａ、４ｂに燃焼用の混合気（燃料ガスと燃焼用空気との混合気）を導入する混合気導入口１０ａ、１０ｂが設けられている。
【００１９】
この２つの部分燃焼部４ａ、４ｂが、業務用レンジ１の各高火力用の調理バーナ２に対して、一方の部分燃焼部４ａを後方側（奥側）に、他方の部分燃焼部４ｂを前方側（手前側）に位置する状態で、前後方向にそれぞれ配置されている。
各部分燃焼部４ａ、４ｂの混合気導入口１０ａ、１０ｂには、混合気分岐管１１ａ、１１ｂが接続され、両混合気分岐管１１ａ、１１ｂが、手動式切替え手段としての切替えコック１２を介して燃料ガス供給管１１に接続され、切替えコック１２より上流側の燃料ガス供給管１１には、手動式火力調整手段としての火力コック１３が設けられ、当該火力コック１３により燃料ガスの遮断、点火、及び、火力調整が可能に構成されている。
手動式切替え手段としての切替えコック１２は、燃料ガス供給管１１から供給される燃料ガスと燃焼用空気とを混合するとともに、その燃料ガスと燃焼用空気との混合気を両混合気分岐管１１ａ、１１ｂを通して両部分燃焼部４ａ、４ｂへ供給する状態と、いずれか一方の部分燃焼部４ａ、４ｂへ供給する状態とに切替えるためのものである。
【００２０】
そのため、切替えコック１２は、図４に分解して示すように、中空で円錐状のコック本体１４とコック本体１４内にて回転する弁体１５を備え、コック本体１４の長手方向の一端部には、燃料ガス供給管１１の先端に設けられた噴出ノズル１１ｃ（図３参照）に臨む状態の燃料ガス供給口１６が設けられている。すなわち、噴出ノズル１１ｃから燃料ガス供給口１６に向けて燃焼ガスを噴出することにより、噴出ノズル１１ｃの周りから燃焼用の空気が吸引されて混合されるように構成されている。
このようにして混合された燃料ガスと燃焼用空気との混合気を各部分燃焼部４ａ、４ｂへ供給するため、コック本体１４の周部には、図５にも示すように、一方の混合気分岐管１１ａに接続される混合気分岐口１７ａと他方の混合気分岐管１１ｂに接続される混合気分岐口１７ｂが設けられている。
【００２１】
コック本体１４内で回転する弁体１５には、その中心部分にコック本体１４の燃料ガス供給口１７に連通する混合気通路１８が設けられ、その混合気通路１８に連通する３本の分岐通路１９ａ、１９ｂ、１９ｃが、混合気通路１８から放射状に延びて弁体１５の周部に開口する状態で設けられている。
その弁体１５には、弁体１５を回転操作するための手動式切替え操作具２０が連設されて、図１に示すように、業務用レンジ１の前面に配置され、火力コック１３に連設された手動式火力操作具２１も配置されている。
すなわち、レンジ１の前面には、手前に位置する２つの高火力用の調理バーナ２に対応する状態で、手動式切替え操作具２０と手動式火力操作具２１がそれぞれ設けられ、更に、奥に位置する低火力用の調理バーナ３の手動式火力操作具２２も設けられている。
【００２２】
この切替えコック１２は、図５（ａ）に示すように、手動式切替え操作具２０を「全」の位置に回転操作すると、分岐通路１９ａが混合気分岐口１７ａと連通し、混合気分岐管１１ａを介して後方側の部分燃焼部４ａに混合気を供給し、かつ、分岐通路１９ｂが混合気分岐口１７ｂと連通し、混合気分岐管１１ｂを介して前方側の部分燃焼部４ｂにも混合気を供給して、両部分燃焼部４ａ、４ｂが燃焼可能な状態となる。
また、図５（ｂ）に示すように、手動式切替え操作具２０を「奥」の位置に回転操作すると、分岐通路１９ａ、１９ｂが閉じられ、分岐通路１９ｃが混合気分岐口１７ａと連通し、混合気分岐管１１ａを介して後方側の部分燃焼部４ａにのみ混合気を供給して、後方側の部分燃焼部４ａが燃焼可能な状態となる。逆に、手動式切替え操作具２０を「手前」の位置に回転操作すると、図示はしないが、分岐通路１９ｃが混合気分岐口１７ｂと連通し、前方側の部分燃焼部４ｂが燃焼可能な状態となる。
すなわち、切替えコック１２は、２つの部分燃焼部４ａ、４ｂのそれぞれと環状燃焼部４との燃焼及び燃焼停止を選択的に切替える単一の手動式切替え手段を構成する。そして、火力コック１３は、切替えコック１２より上流側の燃料ガス供給管１１に設けられているため、２つの部分燃焼部４ａ、４ｂのそれぞれ及び環状燃焼部４の燃焼時において、最大燃焼状態から最小燃焼状態までの範囲内で火力調整可能な単一の手動式火力調整手段を構成する。
【００２３】
各高火力用の調理バーナ２には、図６に示すように、図７及び図８に示すフライパンや鍋などの被加熱物２３を載置するための五徳２４が設けられている。当該五徳２４は、高火力用の環状燃焼部４の外周部に載置可能な周方向に連続したほぼ正方形の台部材２５と、その台部材２５から中心に向かって延出する合計８本の爪部材２６とを備えている。
すなわち、正方形の台部材２５の四隅から中心に向かって、内側バーナ本体６の外周部まで延出する比較的長い４本の爪部材２６ａと、四辺の中央部分から中心に向かって、外側バーナ本体７の外周部まで延出する比較的短い４本の爪部材２６ｂとからなる合計８本の爪部材２６、つまり、中央に位置する内側バーナ本体６の上方にまで至らない合計８本の爪部材２６を備え、フライパンや鍋などの被加熱物２３を載置できるように構成されている。
なお、低火力用の調理バーナ３にも、高火力用の調理バーナ２よりも小型の五徳２７が設けられている。
【００２４】
このような構成の調理バーナ２によれば、例えば、図７に示すように、被加熱物の一例であるフライパン２３を使用してオムレツＡを調理する場合、手動式切替え操作具２０を「奥」の位置に回転操作し、後方側の部分燃焼部４ａのみを燃焼させて、オムレツＡを要領よく調理することができる。
また、図８に示すように、フライパン２３を使用して、オリーブオイルＢによりガーリックＣを炒める場合、手動式切替え操作具２０を「手前」の位置に回転操作し、前方側の部分燃焼部４ｂのみを燃焼させて、少量のオリーブオイルＢによりガーリックＣを要領よく炒めることができる。
さらに、手動式切替え操作具２０を「奥」、「手前」、「全」の何れの位置に位置させている状態でも、手動式火力操作具２１を調整することで、後方側の部分燃焼部４ａ、前方側の部分燃料部４ｂ、或いは、２つの部分燃焼部４ａ、４ｂの両方を、最大燃焼状態から最小燃焼状態までの範囲内で簡単に火力調整することもできる。
その他、業務用の五徳２４では大きすぎて、中央に載置しようとしても載置不可能な小さな鍋などを使用する場合、前後に位置する部分燃焼部４ａ、４ｂのいずれか一方のみを燃焼させて、その上方に鍋などを載置することにより、前方または後方に位置する爪部材２６の一部を使用して安定よく載置することができるなど、利便性の高い業務用の調理バーナ一２として使用することができる。
【００２５】
〔別実施形態〕
（１）先の実施形態では、環状燃焼部４を周方向に２分割して、２つの部分燃焼部４ａ、４ｂを業務用レンジ１の前後方向に配置した例を示したが、２つの部分燃焼部４ａ、４ｂを左右方向に配置することもできる。
更に、単一の切替えコック（手動式切替え手段）１２によって、２つの部分燃焼部４ａ、４ｂのそれぞれと環状燃焼部４との燃焼及び燃焼停止を選択的に切替える構成を示したが、例えば、２つの部分燃焼部４ａ、４ｂに対して、それぞれ別々に手動式切替え手段を設けることもできる。
同様に、単一の火力コック（手動式火力調整手段）１３によって、２つの部分燃焼部４ａ、４ｂのそれぞれ及び環状燃焼部４の燃焼時において火力調整可能に構成した例を示したが、例えば、２つの部分燃焼部４ａ、４ｂに対して、それぞれ別々に手動式火力調整手段を設けることもできる。
【００２６】
（２）先の実施形態では、環状燃焼部４を周方向に２分割した構成を示したが、環状燃焼部４を周方向に３つ以上に分割することもできる。その場合、３つ以上に分割した部分燃焼部の一部と環状燃焼部との燃焼及び燃焼停止を選択的に切替える手動式切替え手段を設けることになる。
また、五徳２４は、本発明の業務用調理バーナ２に必要不可欠なものではなく、例えば、フライパンなどの被加熱物２３を載置するための載置用突部を一体的に備えた業務用調理バーナに適用することもでき、更に、中華専用の業務用調理バーナをはじめとして、各種の業務用調理バーナに適用することができる。
【００２７】
尚、上記の実施形態（別実施形態を含む、以下同じ）で開示される構成は、矛盾が生じない限り、他の実施形態で開示される構成と組み合わせて適用することが可能であり、又、本明細書において開示された実施形態は例示であって、本発明の実施形態はこれに限定されず、本発明の目的を逸脱しない範囲内で適宜改変することが可能である。
【符号の説明】
【００２８】
２          業務用調理バーナ
４          環状燃焼部
４ａ、４ｂ  部分燃焼部
８          炎孔
１２        手動式切替え手段
１３        手動式火力調整手段
２４        五徳
２５        台部材
２６        爪部材
【図１】
2016194385.tif 000003
【図２】
2016194385.tif 000004
【図３】
2016194385.tif 000005
【図４】
2016194385.tif 000006
【図５】
2016194385.tif 000007
【図６】
2016194385.tif 000008
【図７】
2016194385.tif 000009
【図８】
2016194385.tif 000010